(57)【要約】【課題】低天井収納空間に自然光を容易に採り入れることができる建物を提供する。【解決手段】天井高さが０．９〜１．４ｍの低天井収納空間４が設けられており、部屋２の床の少なくとも一部が透光性を有する板材で形成された第１透光性床６で構成されているので、自然光を部屋２からこの第１透光性床６を通して低天井収納空間４に容易に採り入れることができる。  したがって、日中は電灯を灯さなくても物の出し入れや低天井収納空間４での物の整理を行える。【選択図】図１
2008208538.tif 000002
【特許請求の範囲】
【請求項１】
部屋の下方に、天井高さが０．９〜１．４ｍの低天井収納空間が設けられた建物において、
前記部屋の床の少なくとも一部が透光性を有する板材で形成された第１透光性床で構成されていることを特徴とする建物。
【請求項２】
請求項１に記載の建物において、
前記部屋が窓のない収納室であり、この収納室の上方に天窓が設けられていることを特徴とする建物。
【請求項３】
請求項１または２に記載の建物において、
前記低天井収納空間の下方に、部屋が設けられており、前記低天井収納空間の床の少なくとも一部が透光性を有する板材で形成された第２透光性床で構成されていることを特徴とする建物。
【請求項４】
請求項３に記載の建物において、
前記第１透光性床が収納室の床の中央部に設けられており、
前記第２透光性床は、前記第１透光性床の直下に位置していることを特徴とする建物。
【請求項５】
請求項１〜４のいずれか一項に記載の建物において、
前記収納室は、二つの部屋の間に設けられるとともに両部屋から使用可能となっており、
前記収納室を画成する壁には、前記二つの部屋の外側にある廊下またはホールから出入り可能な出入口が形成されていることを特徴とする建物。
【発明の詳細な説明】
【技術分野】
【０００１】
本発明は、収納室の下方に、天井高さが０．９〜１．４ｍの低天井収納空間が設けられた建物に関する。
【背景技術】
【０００２】
天井高さが０．９〜１．４ｍ程度の低天井収納空間が設けられた建物の一例として特許文献１に記載のものが知られている。
この建物では、例えば、２階に中間床を設け、この中間床と２階床との間に天井高さが０．９〜１．４ｍの低天井収納空間を設けたり、また、１階に中間床を設け、この中間床と１階床との間に天井高さが０．９〜１．４ｍの低天井収納空間を設けたりしている。
【特許文献１】特開２００５−３２５５９４号公報
【発明の開示】
【発明が解決しようとする課題】
【０００３】
ところで、上記のような低天井収納空間は窓がない場合が多く自然光を利用することができないので、日中でも電灯を灯さなければ物の出し入れや低天井収納空間での物の整理がし難い。
【０００４】
本発明は上記事情に鑑みてなされたもので、低天井収納空間に自然光を容易に採り入れることができる建物を提供することを課題としている。
【課題を解決するための手段】
【０００５】
上記課題を解決するために、請求項１に記載の発明は、例えば図１〜図３に示すように、部屋２の下方に、天井高さが０．９〜１．４ｍの低天井収納空間４が設けられた建物において、
前記部屋２の床５の少なくとも一部が透光性を有する板材で形成された第１透光性床６で構成されていることを特徴とする。
【０００６】
ここで、第１透光性床６は、透明でもよいし、または透明でなくても透光性を有していればよく、例えば強化ガラスや強化樹脂等で形成される。
【０００７】
請求項１に記載の発明によれば、部屋２の床５の少なくとも一部が透光性を有する板材で形成された第１透光性床６で構成されているので、自然光を部屋２からこの第１透光性床６を通して低天井収納空間４に容易に採り入れることができる。
したがって、日中は電灯を灯さなくても物の出し入れや低天井収納空間４での物の整理を行える。
【０００８】
請求項２に記載の発明は、請求項１に記載の建物において、
前記部屋２が窓のない収納室２であり、この収納室２の上方に天窓３が設けられていることを特徴とする。
【０００９】
請求項２に記載の発明によれば、窓のない収納室２には天窓３から自然光を採り入れることができ、この自然光を第１透光性床６を通して低天井収納空間４に容易に採り入れることができる。
【００１０】
請求項３に記載の発明は、請求項１または２に記載の建物において、
前記低天井収納空間４の下方に、部屋１２が設けられており、前記低天井収納空間４の床８の少なくとも一部が透光性を有する板材で形成された第２透光性床１０で構成されていることを特徴とする。
【００１１】
ここで、第２透光性床１０は、透明でもよいし、または透明でなくても透光性を有していればよく、例えば強化ガラスや強化樹脂等で形成される。
【００１２】
請求項３に記載の発明によれば、低天井収納空間４の床８の少なくとも一部が透光性を有する板材で形成された第２透光性床１０で構成されているので、低天井収納空間４の上方の部屋２から第１透光性床６を通して低天井収納空間４に採り入れた自然光を、さらに、第２透光性床１０を通して、低天井収納空間４の下方の部屋１２に採り入れることができる。
【００１３】
請求項４に記載の発明は、請求項３に記載の建物において、
前記第１透光性床６が収納室２の床５の中央部に設けられており、
前記第２透光性床１０は、前記第１透光性床６の直下に位置していることを特徴とする。
【００１４】
請求項４に記載の発明によれば、第１透光性床６が収納室２の床５の中央部に設けられているので、収納室２を画成する壁に沿って収納物を収納することによって、第１透光性床６を収納物によって覆うことがなく、さらに、第２透光性床１０は第１透光性床６の直下に位置しているので、第１透光性床６を通して確実に低天井収納空間４に自然光を採り入れることができ、この自然光を、第２透光性床１０を通して、低天井収納空間４の下方の部屋１２に確実採り入れることができる。
【００１５】
請求項５に記載の発明は、例えば図４に示すように、請求項１〜４のいずれか一項に記載の建物において、
前記収納室１５は、二つの部屋１６，１７の間に設けられるとともに両部屋１６，１７から使用可能となっており、
前記収納室１５を画成する壁１９には、前記二つの部屋１６，１７の外側にある廊下２０またはホールから出入り可能な出入口２１が形成されていることを特徴とする。
【００１６】
請求項５に記載の発明によれば、二つの部屋１６，１７の間に設けられた収納室１５を画成する壁１９に、二つの部屋１６，１７の外側にある廊下２０またはホールから出入り可能な出入口２１が形成されているので、この出入口２１から物を容易に出し入れできる。したがって、二つの部屋１６，１７の間にある収納室１５への物の出し入れが便利となる。
【発明の効果】
【００１７】
本発明によれば、部屋の下方に、天井高さが０．９〜１．４ｍの低天井収納空間が設けられており、前記部屋の床の少なくとも一部が透光性を有する板材で形成された第１透光性床で構成されているので、自然光を部屋からこの第１透光性床を通して低天井収納空間に容易に採り入れることができる。
したがって、日中は電灯を灯さなくても物の出し入れや低天井収納空間での物の整理を行える。
【発明を実施するための最良の形態】
【００１８】
以下図面を参照して本発明の実施の形態について説明する。
図１は本発明に係る建物の要部を示す縦断面図である。本実施の形態の建物は、２階建てのものであり、１階１Ｆと２階２Ｆとの間に中間階ＭＦが設けられている。中間階ＭＦは天井高さが０．９〜１．４ｍ程度の低天井階である。
２階には部屋２が設けられており、この部屋２は収納室２として利用されている。この収納室２は図２に示すように、四方が壁に囲まれた窓のない部屋であり、一つの壁に出入口２ａが設けられ、この出入口２ａは図示しないドアによって開閉されるようになっている。
また、収納室２の上方には、図１に示すように、天窓３が設けられており、この天窓３は開閉できるようになっている。なお、収納室２の天井は勾配天井となっており、天窓３の直下には天井がない構成となっている。したがって、天窓３から収納室２には自然光や風を採り入れることができるようになっている。
【００１９】
前記中間階ＭＦでかつ収納室２の下方には、天井高さが０．９〜１．４ｍの低天井収納空間４が設けられている。この低天井収納空間４は、図３に示すように、四方が壁に囲まれた窓のない閉空間であり、一つの壁に出入口４ａが設けられ、この出入口４ａは図示しないドアによって開閉されるようになっている。また、この出入口４ａは、１階１Ｆと２階２Ｆとを繋ぐ図示しない階段の踊り場に面して設けられている。したがって、この低天井収納空間４には、踊り場から出入りできる。
収納室２の床５はその中央部を除いて床パネルによって構成されており、この床５の中央部は、第１透光性床６で構成されている。第１透光性床６は、平面視矩形状をなす透明な強化ガラス板で形成されており、この強化ガラス板は床５の中央部に形成された孔にはめ込まれている。孔の内周面には段が形成されており、この段に強化ガラス板を上方から設置することによって、強化ガラス板が前記孔にはめ込まれている
この状態において、強化ガラス板の上面すなわち、第１透光性床６の上面は床５の上面と面一になっている。なお、第１透光性床６は透光性を有していれば、透明でなくてもよい。例えば、すりガラスの板であってもよい。
収納室２には、図２に示すように、壁に沿って収納フレーム７が設けられており、この収納フレーム７に衣服等を掛けて収納するようになっている。
【００２０】
また、低天井収納空間４の床８はその中央部を除いて床パネルによって構成されており、この床８の中央部は、第２透光性床１０で構成されている。第２透光性床１０は、前記第１透光性床６と同様に、平面視矩形状をなす透明な強化ガラス板で形成されており、この強化ガラス板は床８の中央部に形成された孔にはめ込まれている。孔の内周面には段が形成されており、この段に強化ガラス板を上方から設置することによって、強化ガラス板が前記孔にはめ込まれている。
この状態において、強化ガラス板の上面すなわち、第２透光性床１０の上面は床８の上面と面一になっている。また、第２透光性床１０は、第１透光性床６の直下に位置している。
なお、第２透光性床１０も、第１透光性床６と同様に、透光性を有していれば、透明でなくてもよい。例えば、すりガラスの板であってもよい。
低天井収納空間４には、図３に示すように、壁に沿って収納棚１１が設けられており、この収納棚１１に収納物を載置することによって収納するようになっている。
また、１階には前記低天井収納空間４の下方に、部屋１２が設けられている。この部屋１２は前記２階の収納室２とは異なり、窓を有する通常の部屋である。
【００２１】
本実施の形態によれば、収納室２の床５の中央部が透光性を有する板材で形成された第１透光性床６で構成されているので、自然光を収納室２からこの第１透光性床６を通して低天井収納空間４に容易に採り入れることができる。
したがって、日中は電灯を灯さなくても物の出し入れや低天井収納空間４での物の整理を行える。
また、収納室２には窓がないが、この収納室２の上方に天窓３が設けられているので、収納室２に天窓３から自然光を採り入れることができ、この自然光をこの第１透光性床６を通して低天井収納空間４に容易に採り入れることができる。
また、天窓３を開放するとともに、収納室２の出入口２ａを開放することによって、収納室２に、風の流れをつくることができ、収納室を湿度上昇を防止できる。
【００２２】
さらに、低天井収納空間４の床８の中央部が透光性を有する板材で形成された第２透光性床１０で構成されているので、低天井収納空間４の上方の収納室２から第１透光性床６を通して低天井収納空間４に採り入れた自然光を、さらに、第２透光性床１０を通して、低天井収納空間４の下方の部屋１２に採り入れることができる。
加えて、第１透光性床６が収納室２の床の中央部に設けられているので、収納室２を画成する壁に沿って収納物を収納することによって、第１透光性床６を収納物によって覆うことがなく、さらに、第２透光性床１０は第１透光性床６の直下に位置しているので、第１透光性床６を通して確実に低天井収納空間４に自然光を採り入れることができ、この自然光を、第２透光性床１０を通して、低天井収納空間４の下方の部屋１２に確実採り入れることができる。
【００２３】
なお、本実施の形態では、収納室２を四方が壁に囲まれた窓のない部屋としたが、図４に示すような収納室１５としてもよい。
すなわち、収納室１５は、二つの部屋１６，１７の間に設けられるとともに両部屋１６，１７から使用可能となっている。
二つの部屋１６，１７と収納室１５とは連続した一つの空間となっており、両部屋１６，１７と収納室１５との境界部に、床から天井までの高さを有する引違い式の戸１８，１８が設けられている。引違い式の戸１８は３連のものであり、該引違い式の戸１８を開くことによって、収納室１５を部屋１６，１７に対して大きく開口できるようになっている。
【００２４】
また、収納室１５を画成する壁１８には、部屋１６，１７の外側にある廊下２０から出入り可能な出入口２１が設けられており、この出入口２１はドア２１ａによって開閉できるようになっている。
また、収納室１５の上方には、図示しない開閉可能な天窓が設けられている。したがって、収納室１５には、この天窓から自然光や通風を確保できるようになっている。
また、収納室１５の床の中央部は透光性を有する板材で形成された第１透光性床２２で構成されている。
さらに、収納室１５には、引違い式の戸１８，１８に沿って収納フレーム２３，２３が設けられており、この収納フレーム２３，２３に衣服等を掛けて収納するようになっている。
なお、このような収納室１５の下方には、上記のような低天井収納室４が設けられている。
【００２５】
このように、二つの部屋１６，１７の間に設けられた収納室１６を画成する壁１９に、二つの部屋１６，１７の外側にある廊下２９から出入り可能な出入口２１が形成されているので、この出入口２１から物を容易に出し入れできる。したがって、二つの部屋１６，１７の間にある収納室１５への物の出し入れが便利となる。
また、二つの部屋１６，１７と収納室１５とは連続した一つの空間となっており、両部屋１６，１７と収納室１５との境界部に、床から天井までの高さを有する引違い式の戸１８，１８が設けられているので、引違い式の戸１８，１８を開けることによって、収納室１５を部屋１６，１７に対して大きく開口させることができ、収納室１５に物を容易に出し入れできる。また、二つの引違い式の戸１８，１８を開けた際に、両部屋１６，１７と収納室１５とが連続した一つの空間となるので、収納室１５への風通しがよくなる。
【図面の簡単な説明】
【００２６】
【図１】本発明に係る建物の一例を示すもので、要部の縦断面図である。
【図２】同、収納室の平面図である。
【図３】同、低天井収納空間の平面図である。
【図４】同、収納室の変形例を示す平面図である。
【符号の説明】
【００２７】
２  部屋（収納室）
３  天窓
４  低天井収納空間
５  床
６  第１透光性床
８  床
１０  第２透光性床
１２  部屋
１５  収納室
１６，１７  部屋
２１  出入口
２２  第１透光性床
【図１】
2008208538.tif 000003
【図２】
2008208538.tif 000004
【図３】
2008208538.tif 000005
【図４】
2008208538.tif 000006